(57)【要約】【課題】開傘状態を安定させて信頼性を高める、傘の開閉傘掛止構造を提供する。【解決手段】傘の開閉傘掛止構造は、中棒、上ろくろ２、下ろくろ３、傘骨４及び弾性掛止部材５を備える。中棒は、複数段の管体が互いに順次嵌合されて構成された伸縮可能な棒状体であり、上端が上ろくろ２に結合された最小管径の内管１１と、管径が内管１１より大きな外管とを有する。上ろくろ２には、上枢着部２１が設けられる。下ろくろ３には、下枢着部３１が設けられる。傘骨４は、上枢着部２１及び下枢着部３１にそれぞれ枢着される。下ろくろ３は、中棒上に可動可能に嵌設される。下ろくろ３の側壁には、下枢着部３１より低い掛止孔３２が形成される。弾性掛止部材５の上端は、上ろくろ２に接続される。弾性掛止部材５と中棒との間には、変形間隙が形成される。弾性掛止部材５の下端外側には、下ろくろ３の開傘位置に対応して掛止部５１が突設される。【選択図】図２
0003228533.tif 000002
【実用新案登録請求の範囲】
【請求項１】
中棒、上ろくろ、下ろくろ、傘骨及び弾性掛止部材を備えた、傘の開閉傘掛止構造であって、
前記中棒は、複数段の管体が互いに順次嵌合されて構成された伸縮可能な棒状体であり、上端が前記上ろくろに結合された最小管径の内管と、管径が前記内管より大きな外管と、を有し、
前記上ろくろには、上枢着部が設けられ、
前記下ろくろには、下枢着部が設けられ、
前記傘骨は、前記上枢着部及び前記下枢着部にそれぞれ枢着され、
前記下ろくろは、前記中棒上に可動可能に嵌設され、
前記下ろくろの側壁には、前記下枢着部より低い掛止孔が形成され、
前記弾性掛止部材の上端は、前記上ろくろに接続され、
前記弾性掛止部材と前記中棒との間には、変形間隙が形成され、
前記弾性掛止部材の下端外側には、前記下ろくろの開傘位置に対応して掛止部が突設され、
前記掛止部は、前記下ろくろの前記掛止孔に着脱可能に掛止され、
前記開傘位置まで前記下ろくろが上方に移動されると、前記弾性掛止部材の下端が前記下ろくろ内に伸ばし入れられ、前記下ろくろの内壁が前記内管の外壁及び前記弾性掛止部材の外側に密着され、前記弾性掛止部材の前記掛止部が前記下ろくろの前記掛止孔に確実に掛止されることを特徴とする傘の開閉傘掛止構造。
【請求項２】
前記掛止部の外側下部には、上から下方向にかけて内方に傾いた外斜面が設けられることを特徴とする請求項１に記載の傘の開閉傘掛止構造。
【請求項３】
前記弾性掛止部材の下端内側には、前記掛止部より低い当接部が突設され、
前記当接部は、前記中棒の外壁に当接されることを特徴とする請求項１又は２に記載の傘の開閉傘掛止構造。
【請求項４】
前記当接部の内側下部には、上から下方にかけて外方に傾いた内斜面が設けられることを特徴とする請求項３に記載の傘の開閉傘掛止構造。
【請求項５】
前記内管と前記上ろくろとは偏心して設置されることを特徴とする請求項１に記載の傘の開閉傘掛止構造。
【請求項６】
前記下ろくろの外側には、上下移動して位置決め可能な押し引きスリーブが嵌設され、
前記押し引きスリーブの上端には、解除アームが突設され、
前記解除アームの内側には、前記掛止部を内方へ移動させて前記掛止孔から外す押動部が突設され、
前記押動部の内側には、上から下方向にかけて外方に傾いた押動斜面が設けられ、
前記掛止部の外側には、上から下方向にかけて外方に傾くとともに前記押動斜面に可動可能に接触される傾斜案内面が設けられることを特徴とする請求項１に記載の傘の開閉傘掛止構造。
【請求項７】
前記押し引きスリーブの内壁には、位置決め溝が形成され、
前記下ろくろの外壁には、前記位置決め溝中に挿入されて前記位置決め溝中で上下に移動可能な位置規制ブロックが設けられていることを特徴とする請求項６に記載の傘の開閉傘掛止構造。
【請求項８】
前記下ろくろの前記下枢着部上には、下側に開口した案内溝が形成され、
前記解除アームの上端は、上下方向に移動可能に前記案内溝中に挿入されることを特徴とする請求項６又は７に記載の傘の開閉傘掛止構造。
【請求項９】
前記下ろくろの外壁には、前記弾性掛止部材の前記掛止部を押圧する弾性押さえ片が設けられていることを特徴とする請求項１に記載の傘の開閉傘掛止構造。
【請求項１０】
前記弾性掛止部材の上端と前記上ろくろとは、一体成形されるかそれぞれ個別に形成されてから一体化されることを特徴とする請求項１に記載の傘の開閉傘掛止構造。
【考案の詳細な説明】
【技術分野】
【０００１】
本考案は、折り畳み式傘の分野に関し、特に、傘の開閉傘掛止構造に関する。
【背景技術】
【０００２】
従来技術の傘を開傘する際、下ろくろを中棒に沿って上方に押動して傘骨を開く。手動傘の場合、下ろくろを上方へ移動させて位置決めすると、傘を開傘状態に維持して使用することができる。しかし一般には、中棒上に貫通孔が形成され、貫通孔中には、下ろくろに押し当てるハジキが配設される。折り畳み式傘にとって、その中棒は複数の管体により構成される。各管体は互いに嵌合されて接続される。そのうち管径が最小のものは内管と称し、管径が最大のものは外管と称する。
【０００３】
折り畳み式傘の中棒設置方式には２種類あり、中棒設置方式の第１種は、内管が上で外管が下に位置し、内管上端には、上ろくろが固定され、外管下端には、ハンドルが固定されている。中棒設置方式の第２種は、外管が上で内管が下に位置し、外管上端には、上ろくろが固定され、内管下端には、ハンドルが固定されている。中棒設置方式の第２の方式の場合、上部が重くて下部が軽いため、力学強度の設計に合致せず、折り畳み式傘を使用するときに中棒が損壊し易かった。そのため、折り畳み式傘の中棒設置方式は第１種方式であることが最適であった。しかし、第１種方式の中棒設置方式の場合、ハジキを装着する貫通孔が内管上に形成されるため、内管の管径が小さく、内管上に形成された貫通孔により内管の強度が容易に低下し、内管が折れ易かった。また、傘を開いた後に、内管の管径が小さいため、内管と下ろくろの内孔との間の間隙が大きくなり、下ろくろが揺れて開傘状態が不安定となり易い上、傘を閉じる際にハジキを押圧しなければならないため、切り傷が生じる虞もあった。
【考案の概要】
【考案が解決しようとする課題】
【０００４】
本考案の主な目的は、開傘状態を安定させて信頼性を高める、傘の開閉傘掛止構造を提供することにある。
【課題を解決するための手段】
【０００５】
上記課題を解決するために、本考案の第１の形態によれば、中棒、上ろくろ、下ろくろ、傘骨及び弾性掛止部材を備えた、傘の開閉傘掛止構造であって、前記中棒は、複数段の管体が互いに順次嵌合されて構成された伸縮可能な棒状体であり、上端が前記上ろくろに結合された最小管径の内管と、管径が前記内管より大きな外管と、を有し、前記上ろくろには、上枢着部が設けられ、前記下ろくろには、下枢着部が設けられ、前記傘骨は、前記上枢着部及び前記下枢着部にそれぞれ枢着され、前記下ろくろは、前記中棒上に可動可能に嵌設され、前記下ろくろの側壁には、前記下枢着部より低い掛止孔が形成され、前記弾性掛止部材の上端は、前記上ろくろに接続され、前記弾性掛止部材と前記中棒との間には、変形間隙が形成され、前記弾性掛止部材の下端外側には、前記下ろくろの開傘位置に対応して掛止部が突設され、前記掛止部は、前記下ろくろの前記掛止孔に着脱可能に掛止され、前記開傘位置まで前記下ろくろが上方に移動されると、前記弾性掛止部材の下端が前記下ろくろ内に伸ばし入れられ、前記下ろくろの内壁が前記内管の外壁及び前記弾性掛止部材の外側に密着され、前記弾性掛止部材の前記掛止部が前記下ろくろの前記掛止孔に確実に掛止されることを特徴とする傘の開閉傘掛止構造が提供される。
【０００６】
前記掛止部の外側下部には、上から下方向にかけて内方に傾いた外斜面が設けられることが好ましい。
【０００７】
前記弾性掛止部材の下端内側には、前記掛止部より低い当接部が突設され、前記当接部は、前記中棒の外壁に当接されることが好ましい。
【０００８】
前記当接部の内側下部には、上から下方にかけて外方に傾いた内斜面が設けられることが好ましい。
【０００９】
前記内管と前記上ろくろとは偏心して設置されることが好ましい。
【００１０】
前記下ろくろの外側には、上下移動して位置決め可能な押し引きスリーブが嵌設され、前記押し引きスリーブの上端には、解除アームが突設され、前記解除アームの内側には、前記掛止部を内方へ移動させて前記掛止孔から外す押動部が突設され、前記押動部の内側には、上から下方向にかけて外方に傾いた押動斜面が設けられ、前記掛止部の外側には、上から下方向にかけて外方に傾くとともに前記押動斜面に可動可能に接触される傾斜案内面が設けられることが好ましい。
【００１１】
前記押し引きスリーブの内壁には、位置決め溝が形成され、前記下ろくろの外壁には、前記位置決め溝中に挿入されて前記位置決め溝中で上下に移動可能な位置規制ブロックが設けられていることが好ましい。
【００１２】
前記下ろくろの前記下枢着部上には、下側に開口した案内溝が形成され、前記解除アームの上端は、上下方向に移動可能に前記案内溝中に挿入されることが好ましい。
【００１３】
前記下ろくろの外壁には、前記弾性掛止部材の前記掛止部を押圧する弾性押さえ片が設けられていることが好ましい。
【００１４】
前記弾性掛止部材の上端と前記上ろくろとは、一体成形されるかそれぞれ個別に形成されてから一体化されることが好ましい。
【考案の効果】
【００１５】
本考案の傘の開閉傘掛止構造は、以下（１）〜（３）の効果を有する。
（１）弾性掛止部材の掛止部と下ろくろの掛止孔とを組み合わせて使用することにより、傘を開くとき、下ろくろを開傘位置まで上方に移動させると、弾性掛止部材の下端が下ろくろ内に伸ばし入れられ、下ろくろの内壁が内管の外壁及び弾性掛止部材の外側に密着されるため、下ろくろが揺れることを防ぎ、開傘状態を安定させて信頼性を高めることができる。
（２）弾性掛止部材の上端と上ろくろとが接続され、弾性掛止部材の上端が内管の上端上に固定されるため、内管上に形成される孔の数を減らして内管の強度を高め、傘の使用寿命を延ばすことができる。
（３）開傘状態にするときは、押し引きスリーブを押し上げて開傘位置まで下ろくろを上方移動させ、弾性掛止部材の掛止部を下ろくろの掛止孔に掛止して下ろくろを位置決めする。傘を閉じるときは、押し引きスリーブを引っ張り下げ、押し引きスリーブの押動斜面を、掛止部外側の傾斜案内面に押し付け、掛止部を内方へ移動させて掛止孔から外すことにより、下ろくろの位置決めを解除し、押し引きスリーブを引っ張り下げて下ろくろを下方へ移動させると傘が閉じる。このように、押し引きスリーブの押し引きを行うだけで、傘の開閉を容易かつ安全に行うことができる。
【図面の簡単な説明】
【００１６】
【図１】図１は、本考案の第１実施形態に係る傘の開閉傘掛止構造の開傘状態を示す斜視図である。
【図２】図２は、本考案の第１実施形態に係る傘の開閉傘掛止構造の開傘状態を示す断面図である。
【図３】図３は、本考案の第１実施形態に係る傘の開閉傘掛止構造の弾性掛止部材及び上ろくろの構造を示す斜視図である。
【図４】図４は、本考案の第２実施形態に係る傘の開閉傘掛止構造の弾性掛止部材及び上ろくろの構造を示す斜視図である。
【図５】図５は、本考案の第３実施形態に係る傘の開閉傘掛止構造の開傘状態を示す断面図である。
【図６】図６は、本考案の第３実施形態に係る傘の開閉傘掛止構造の弾性掛止部材を示す斜視図である。
【図７】図７は、本考案の第４実施形態に係る傘の開閉傘掛止構造を示す分解斜視図である。
【図８】図８は、本考案の第４実施形態に係る傘の開閉傘掛止構造の下ろくろの構造を示す斜視図である。
【図９】図９は、本考案の第４実施形態に係る傘の開閉傘掛止構造の開傘状態を示す断面図である。
【図１０】図１０は、本考案の第４実施形態に係る傘の開閉傘掛止構造の傘を閉じるときの状態を示す断面図である。
【図１１】図１１は、本考案の第４実施形態に係る傘の開閉傘掛止構造の傘を閉じたときの状態を示す断面図である。
【考案を実施するための形態】
【００１７】
以下、本考案の実施形態について図に基づいて説明する。なお、これによって本考案が限定されるものではない。
【００１８】
（第１実施形態）
図１〜図３を参照する。図１〜図３に示すように、本考案の第１実施形態に係る傘の開閉傘掛止構造は、少なくとも中棒１、上ろくろ２、下ろくろ３、傘骨４及び弾性掛止部材５から構成されてなる。上述した中棒１は、複数段の管体が互いに順次嵌合されて構成された伸縮可能な棒状体である。中棒１は、上端が上ろくろ２に結合された最小管径の内管１１と、管径が内管１１より大きな外管１２と、を含む。図１に示すように、中棒１は４段の管体により構成されることが好ましい。上述した下ろくろ３は、中棒１上で上下方向に移動可能に嵌設される。上ろくろ２は、上枢着部２１を有する。下ろくろ３は、下枢着部３１を有する。下ろくろ３の側壁には、下枢着部３１より低い掛止孔３２が形成される。上述した傘骨４は、上ろくろ２の上枢着部２１及び下ろくろ３の下枢着部３１にそれぞれ枢着される。上述した弾性掛止部材５の上端は、中棒１の上端上に固定される。弾性掛止部材５の下端外側には、掛止部５１が対応して突設される。上述した掛止部５１は、下ろくろ３の掛止孔３２に着脱可能に掛止される。弾性掛止部材５と中棒１との間には、変形間隙が形成され、内方に変形した空間が弾性掛止部材５に形成される。上ろくろ２と内管１１の上端との結合と、傘骨４と上ろくろ２の上枢着部２１及び下ろくろ３の下枢着部３１とを枢着する接続は従来技術であるため、ここでは繰り返して述べない。
【００１９】
図１及び図２に示すように、本実施形態において傘を開くとき、下ろくろ３を開傘位置まで上方に移動させると、弾性掛止部材５の下端が下ろくろ３内に伸ばし入れられ、下ろくろ３の内壁が内管１１の外壁及び弾性掛止部材５の外側に密着される。弾性掛止部材５の掛止部５１が下ろくろ３の掛止孔３２に確実に掛止されて下ろくろ３が位置決めされると、開傘状態となる。このときに弾性掛止部材５の下端が下ろくろ３内に伸ばし入れられ、下ろくろ３の内壁が内管１１の外壁及び弾性掛止部材５の外側に密着されるため、下ろくろ３が揺れることを防ぎ、開傘状態を安定させて信頼性を高めることができる。傘を閉じるときは、弾性掛止部材５の掛止部５１を押圧して掛止部５１を内方へ移動させ、掛止孔３２からイジェクトされ、下ろくろ３を下方へ移動させると傘が閉じられる。傘を閉じるときに手が怪我しないように、図１〜図３にも示すように、上述した下ろくろ３の外壁には、弾性掛止部材５の掛止部５１を押圧する弾性押さえ片３３が設けられているため、弾性押さえ片３３が押圧されると、弾性押さえ片３３により掛止部５１が押圧され、掛止部５１が内方へ移動して掛止孔３２からイジェクトされる。
【００２０】
図１〜図３に示すように、本実施形態において、上述した掛止部５１の外側下部には、上から下方向にかけて内方に傾いた外斜面５１１が設けられ、下ろくろ３を上方へ移動させて開傘すると、外斜面５１１を介して弾性掛止部材５が内方に変形し、掛止部５１を下ろくろ３中に伸ばし入れることができる。下ろくろ３の開口上端内縁は、弾性掛止部材５に対応して上から下方向にかけて内方に傾いた外斜口３５が設けられ、下ろくろ３を上方へ移動させて開傘すると、弾性掛止部材５が外斜口３５中に挿入され、外斜口３５により弾性掛止部材５が内方に変形し、掛止部５１が下ろくろ３中に伸ばし入れられる。
【００２１】
図１〜図３に示すように、本実施形態において、上述した弾性掛止部材５の下端内側には、掛止部５１より低い当接部５２が突設される。当接部５２は、中棒１の外壁に当接されるため、開傘位置まで下ろくろ３を上方へ移動させると、当接部５２が中棒１の内管１１に接触され、弾性掛止部材５と下ろくろ３の内壁とが密着され、下ろくろ３が揺れることを防ぐことができる。当接部５２が掛止部５１より低いため、掛止部５１が変形して内方へ移動させることができる。図１〜図３に示すように、上述した当接部５２の内側下部には、上から下方にかけて外方に傾いた内斜面５２１が形成され、中棒１の各段の管体を収納する際、内管１１外の各段の管体を当接部５２の内斜面５２１を介して上方に収納することができる上、内管１１外の各段の管体が当接部５２に引っかかることを防ぐ。
【００２２】
図２を併せて参照する。図２に示すように、本実施形態において、上述した内管１１と上ろくろ２とが偏心して設置されるため、空間を残して剛性係数が高い弾性掛止部材５を取付けることができる。弾性掛止部材５の剛性係数が高いほど、下ろくろ３が上方へ移動して開傘位置に達したときの弾性掛止部材５と下ろくろ３の内壁との密着度が高くなる。
【００２３】
図２及び図３に示すように、本実施形態において、上述した弾性掛止部材５の上端と、上ろくろ２とが一体成形され、弾性掛止部材５の上端と上ろくろ２とが接続され、弾性掛止部材５の上端が内管１１の上端上に固定されるため、内管１１上に孔を形成する必要がなく、内管１１の強度が高まり、傘の使用寿命を延ばすことができる。図３を併せて参照する。図３に示すように、上述した掛止部５１と弾性掛止部材５とは等しい幅に形成されてもよい。
【００２４】
（第２実施形態）
図４を併せて参照する。図４に示すように、本考案の第２実施形態に係る傘の開閉傘掛止構造は、第１実施形態と異なり、掛止部５１と弾性掛止部材５とが等しい幅に形成される。第２実施形態に示すように、上述した掛止部５１の幅が弾性掛止部材５の幅より小さく、掛止部５１の幅が小さくなると、下ろくろ３の内径が小さくなり、下ろくろ３の寸法を小さくすることができる。
【００２５】
（第３実施形態）
図５及び図６を併せて参照する。図５及び図６に示すように、本考案の第３実施形態に係る傘の開閉傘掛止構造は、第１実施形態と異なり、弾性掛止部材５の上端と上ろくろ２とが一体成形され、弾性掛止部材５の上端と上ろくろ２とが接続されるが、第３実施形態では、弾性掛止部材５の上端と上ろくろ２とを個別に形成してから一体化させてもよい。具体的には、上述した弾性掛止部材５の上端外側には、嵌合溝５３が形成される。上ろくろ２の周側には、環状の締め槽２１１が形成される。締め槽２１１は、上ろくろ２の上枢着部２１上に形成される。傘骨４の締め槽２１１の下側には、開口が形成される。弾性掛止部材５の上端は開口から締め槽２１１中に挿入され、嵌合溝５３と締め槽２１１とが連通し、締め槽２１１に挿通された締め線２２により弾性掛止部材５の上端が上ろくろ２上に接続され、弾性掛止部材５の上端が内管１１の上端上に固定される。このように内管１１上に孔を形成する必要がないため、内管１１の強度を高めて傘の使用寿命を延ばすことができる。
【００２６】
（第４実施形態）
図７〜図１１を参照する。図７〜図１１に示すように、本考案の第４実施形態に係る傘の開閉傘掛止構造は、第３実施形態と異なり、下ろくろ３に弾性押さえ片３３は設けられず、上下移動して位置決め可能な押し引きスリーブ６が下ろくろ３の外側に嵌設される。上述した押し引きスリーブ６の上端には、解除アーム６１が突設される。解除アーム６１の内側には、押動部６１１が突設される。押動部６１１は、掛止部５１を押動して掛止部５１を内方へ移動させて掛止孔３２から外すことにより、下ろくろ３の位置決めを解除することができる。押動部６１１の内側には、上から下方向にかけて外方に傾いた押動斜面６１１１が設けられる。上述した掛止部５１の外側には、上から下方向にかけて外方に傾いて押動斜面６１１１に可動可能に接触される傾斜案内面５１２が設けられる。このように開傘状態下で押し引きスリーブ６を引っ張り下げ、押し引きスリーブ６により押動斜面６１１１を押動して掛止部５１の傾斜案内面５１２を押動して掛止部５１を内方に移動させ、掛止部５１を掛止孔３２から外し、下ろくろ３の位置決めを解除し、押し引きスリーブ６を引っ張り下げて下ろくろ３を下方へ移動させて傘を収納することができる。開傘状態にするときは、押し引きスリーブ６を押し上げて開傘位置まで下ろくろ３を上方移動させ、弾性掛止部材５の掛止部５１を下ろくろ３の掛止孔３２に掛止して下ろくろ３を位置決めすると、開傘状態となる。このように押し引きスリーブ６の押し引きを行うだけで、傘の開閉を容易かつ安全に行うことができる。
【００２７】
図７〜図１１を参照する。図７〜図１１に示すように、本考案の第４実施形態に係る傘の開閉傘掛止構造の上述した押し引きスリーブ６の内壁には、位置決め溝６２が形成される。下ろくろ３の外壁には、位置決め溝６２中に挿入されて位置決め溝６２中で上下に移動可能な位置規制ブロック３４が設けられているため、位置決め溝６２と位置規制ブロック３４との組み合わせにより、押し引きスリーブ６を下ろくろ３に対して上下方向に移動させ、押し引きスリーブ６及び下ろくろ３を位置決めし、押し引きスリーブ６により下ろくろ３を上下方向に移動させることができる。
【００２８】
図８〜図１１を参照する。図８〜図１１に示すように、本考案の第４実施形態に係る傘の開閉傘掛止構造の上述した下ろくろ３の下枢着部３１上には、下側に開口した案内溝３１１が形成される。上述した解除アーム６１の上端は、上下方向に移動可能に案内溝３１１中に挿入されるため、案内溝３１１を介して解除アーム６１に対して位置拘束し、押し引きスリーブ６が旋回することを防ぎ、傘を閉じるときに押し引きスリーブ６を押動斜面６１１１に押動させ、掛止部５１の傾斜案内面５１２に確実に接触されるようにする。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１  中棒
２  上ろくろ
３  下ろくろ
４  傘骨
５  弾性掛止部材
６  押し引きスリーブ
１１  内管
１２  外管
２１  上枢着部
２２  締め線
３１  下枢着部
３２  掛止孔
３３  弾性押さえ片
３４  位置規制ブロック
３５  外斜口
５１  掛止部
５２  当接部
５３  嵌合溝
６１  解除アーム
６２  位置決め溝
２１１  締め槽
３１１  案内溝
５１１  外斜面
５１２  傾斜案内面
５２１  内斜面
６１１  押動部
６１１１  押動斜面
【図１】
0003228533.tif 000003
【図２】
0003228533.tif 000004
【図３】
0003228533.tif 000005
【図４】
0003228533.tif 000006
【図５】
0003228533.tif 000007
【図６】
0003228533.tif 000008
【図７】
0003228533.tif 000009
【図８】
0003228533.tif 000010
【図９】
0003228533.tif 000011
【図１０】
0003228533.tif 000012
【図１１】
0003228533.tif 000013